(57)【要約】【課題】本発明は、リサイクルへの関心を高めるようにした物品を提供する。【解決手段】下部側に基板を配設し、その基板表面に空きびんの底部を接着剤で接着して固定し、空きびん上部側の口部に取付具を挿入し、取付具の上部に水平方向に天板を設けたことを特徴とする空きびんを用いる物品。【選択図】  図１
2008127036.tif 000002
【特許請求の範囲】
【請求項１】
下部側に基板を配設し、その基板表面に空きびんの底部を接着剤で接着して固定し、空きびん上部側の口部に、取付具を挿入し、取付具の上部に水平方向に天板を設けたことをを特徴とする空きびんを用いる物品
【請求項２】
空きびんの口部が広口で、蓋の下部に通電可能なソケツトと電球を取り付け、蓋の上部を取付板を介して天板に取り付けたことを特徴とする請求項１記載の空きびんを用いる物品
【請求項３】
取付具上部に、連結具を介して本を載置する載置板を回動自在且着脱自在且傾斜可能に取り付けたことを特徴とする請求項１記載の空きびんを用いる物品
【請求項４】
空きびん口部から丸棒を挿通し、その丸棒に回動自在且上下に移動可能に調整板を取り付け、載置板の上部側を丸棒に、下部側を調整板に紐で縛着したことを特徴とする請求項１記載の空きびんを用いる物品
【請求項５】
空きびんの口部に支柱を立設し、支柱の水平方向に横杆を設け、横杆に複数の袋を吊設したことを特徴とする請求項１記載の空きびんを用いる物品
【請求項６】
横杆に複数の額縁を吊設したことを特徴とする請求項３記載の空きびんを用いる物品      
【請求項７】
取付具上部に枠体を設け、その枠体に電球を取り付けるソケツトとソケツトへ電源を導く導通回路と光を遮蔽するシエードを支える天井板を設け、シエードが着脱自在であることを特徴とする請求項１記載の空きびんを用いる物品
【請求項８】
取付具上部に、突起部と孔部を設けた多数の積み木を連結可能であることを特徴とする請求項１記載の空きびんを用いる物品  
【請求項９】
取付具上部に、象の玩具を取り付け、鼻が曲折自在であることを特徴とする請求項１記載の空きびんを用いる物品
【請求項１０】
取付具上部に、麒麟の玩具を取り付け、首が曲折自在であることを特徴とする請求項１記載の空きびんを用いる物品
【請求項１１】
基板の中央部と端部側に複数の丸棒を立設し、中央部の丸棒の内側にソケツトと広口びんを交互に着脱自在に設け、端部側の丸棒にシエードを着脱自在に設けることが可能で、電球及びろうそくの光を光源として変更可能であることを特徴とする空きびんを用いる物品
【請求項１２】
基板に空きびんを取り付ける方法が、適宜の箇所に複数の挿通孔を穿設した基板に、丸棒を挿通して立設し、空きびんと丸棒を捲着物で結合したことを特徴とする請求項１~９記載のうちいずれか一項記載の空きびんを用いる物品
【発明の詳細な説明】
【技術分野】
【０００１】
本発明は、使用済み空きびんと組合せて様々な構造物を組み立てることを可能にした 使用済み空きびんを用いる物品に関する。
【背景技術】
【０００２】
最近、日本語特有の言葉「もつたいない」が国際的に注目を集めている。物や命の本来の役割をないがしろにすることを惜しむ意味を持ち、使用済みの物を再利用するというリサイクル運動の重要性を表している。ところが、社会全体はリサイクル への関心はまだまだ低く、日常的、身近に関心を持つようにしたものはまだない。
【発明の開示】
【発明が解決しようとする課題】
【０００３】
資源が少ない日本では、リサイクル は益々重要になってくるので、これに応えるような物品が要望されている。本発明はこのような事情に鑑みてなされたもので、その目的とするところは、リサイクルへの関心を高めることが可能な物品を提供することにある。
【課題を解決するための手段】
【０００４】
そして、本発明は上記目的を達成するために請求項１のものは、下部側に基板を配設し、その基板表面に空きびんの底部を接着剤で接基して固定し、空きびん上部側の口部に、取付具を挿入し、取付具の上部に水平方向に天板を設けたものである。
【０００５】
請求項２のものは、請求項１のものにおいて、空きびんの口部が広口で、蓋の下部に通電可能なソケツトと電球を取り付け、蓋の上部を取付板を介して天板に取り付けたものである。
【０００６】
請求項３のものは、請求項１のものにおいて、取付具上部に、連結具を介して本を載置する載置板を回動自在且着脱自在且傾斜可能に取り付けたものである。
【０００７】
請求項４のものは、請求項１のものにおいて、空きびんの口部から丸棒を挿通し、その丸棒に回動自在且上下に移動可能に調整板を取り付け、載置板の上部側を丸棒に、下部側を調整板に紐で縛着したものである。  
【０００８】
請求項５のものは、請求項１のものにおいて、空きびんの口部に支柱を立設し、支柱の水平方向に横杆を設け、横杆に複数の袋を吊設したものである。
【０００９】
請求項６のものは、請求項１のものにおいて、横杆に複数の額縁を吊設したものである。
【００１０】
請求項７のものは、請求項１のものにおいて、取付具上部に枠体を設け、その枠体に、電球を取り付けるソケツトとソケツトへ電源を導く導通回路と光を遮蔽するシエードを支える天井板を設け、シエードが着脱自在としたものである。
【００１１】
請求項８のものは、請求項１のものにおいて、取付具上部に、突起部と孔部を設けた多数の積み木を連結可能としたものである。
【００１２】
請求項９のものは、請求項１のものにおいて、取付具上部に、象の玩具を取り付け、鼻が曲折自在としたものである。
【００１３】
請求項１０のものは、請求項１のものにおいて、取付具上部に、麒麟の玩具を取り付け、首が曲折自在としたものである。
【００１４】
請求項１１のものは、基板の中央部と端部側に複数の 丸棒を立設し、中央部の丸棒の内側にソケツトと広口びんを交互に着脱自在に設け、端部側の丸棒の外側にシエードを着脱自在に設けることが可能で、電球及びろうそくの光を光源として変更可能としたものである。
【００１５】
請求項１１のものは、請求項１~１０のものにおいて基板に空きびんを取り付ける方法が、適宜の箇所に複数の取付孔を穿設した基板に、丸棒を挿通して立設し、空きびんと丸棒を捲着物で結合したものである。
【００１６】
上記の課題解決手段による作用は次ぎの通りである。請求項１のものは、すなわち、基板の表面と空きびんの底部を接着剤で接着し固定すると、空きびん自身の重量と底部の面積の拡大により、空きびんの口部に取付具を介して天板を設けても、立設を安定して保持することができる。また本発明は、主としてテーブルや机の上に置いて使用するもので、テーブルや机上を立体的に広く効率的に使用できるようにしたものである。
【００１７】
請求項２のものは、広口びんの使用により請求項１のものに加えて、電気行灯を附加することができテーブルや机上をより効率的に使うことができる。またびんにシエードの布を巻いても、電球の熱をびんにより遮断できるので安全を担保することができる。
【００１８】
請求項３のものは、載置板の取り付けが回動自在なので、向きを斜め下方、斜め上方にすることができる。仰臥して読書する場合は、長めの空きびんに載置板の向きを斜め下方にして使用し、座位で読書する場合は、短めの空きびんに載置板の向きを斜め上方にして使用する。また着脱自在なので載置板のみを机等に置いて単独で使用することができる。
【００１９】
請求項４のものは、多様な座位と仰臥で使用できるようにしたもので、座位で使用する場合は載置板の向きを斜め上向きに紐で縛着して取り付け、仰臥で使用する場合は載置板を斜め下向きに紐で縛着して取り付ける。調整板を丸棒に沿って移動させて載置板の高さを調整する。椅子に座って読書するときは、調整板を高い位置に設定し、床に座って読書するときは、低い位置に設定する。またソフアーのように座高の低い椅子に座って読書するときは、中位の位置に設定する。また載置板の傾斜角度の調整は載置板を丸棒と調整板に紐で縛着する位置と載置板の上部と丸棒の間隔により調整することができる。
【００２０】
請求項５のものは、多数の物品を収納する袋を立体的に吊設でき、壁の少ない場所や、壁の汚染や傷を気にすることなく使用することができる。また袋をネツト状にして内部が見えるようにしているので、収納した物を探す手間を減ずることができる。
【００２１】
請求項６のものは、支柱を高くすれば、少スペースで多数の写真を飾ることができる。
【００２２】
請求項７のものは、シエードを自在に交換できるようにしたもので、図８に示すものは、一枚の布を上部から被せてシエードとしたもので、図９に示すものは、上部をゴム紐で絞り筒状の布をシエードとしたものである。好みや気分でシエードを変えて灯かりを楽しむことができる。
【００２３】
請求項８のものは、積み木の一種で突起部と孔部を組合せて上方に向けて立体的オブジエを作り楽しむものである。
【００２４】
請求項９のものは、玩具の象の鼻が自在に形成できるようにしたもので、中心部に挿通孔を穿設した多数の輪体をアルミ自在ワイヤーに挿通して曲折可能な鼻としたものである。
【００２５】
請求項１０のものは、玩具の麒麟の首が曲がるようにしたものである。
【００２６】
請求項の１１のものは、電球を取り付けるソケツトと広口びんを交互に取り付けることができるようにしたものである。ろうそくの灯かりを楽しむ場合、びんの中にろうそくを立てて火を灯しても、びんは丸棒で固定しているので安全であり、丸棒の外側に布のシエードを捲着しても火災の安全を担保することができる。
【００２７】
請求項１２のものは、基板と空きびんを丸棒を介して紐やゴム紐やバンド等の捲着物で結合しているので好みの大きさ、デザインの空きびんに自在に交換することができる。  
【発明の効果】
【００２８】
以上のように、請求項１から１２に記載の発明によれば、いずれも身近において使用するものであり、空きびんを用いて物品のコストを低減でき且生活の質を向上させることができる。したがって、空きびんを用いた物品の使用により日常的にリサイクルへの関心を高めることができる。
【発明を実施するための最良の形態】
【００２９】
以下、本発明の実施の形態を図１~図１６に基づいて説明する。
【実施例１】
【００３０】
図１においては、１は使用済みの容器、例えば日本酒、焼酎、ウイスキー、ワイン等の空きびんで、このびんの上部には飲み口である口部２が、下部には底部３が形成されている。４は基板で、四角形状の木製の板状で、底部３と基板４はガラスと木材に適合する接着剤で接着し、基板４に空きびん１を固定して立設している。
【００３１】
５は先端部をテーパー形状を形成した円柱の取付具で、四角形状の天板６下部中央部に四角形状の取付板７を介して取り付けている。取付具５の先端部は空きびん１の口部２に挿通して天板１を空きびん１に取り付けてテーブルを形成している。
【実施例２】
【００３２】
図２においては、８は使用済みの容器、例えば蜂蜜、ジヤム等の空きびんで口部２は広口を形成し蓋９を取り付け、空きびん１の下部を基板４に接着剤で接着し固定している。蓋９は取付板７を介して天板６下部中央部に取り付け、蓋９の下部に通電可能なソケツト１０と電球１１を設けている。  
【実施例３】
【００３３】
図３においては、１２は本１３を載置する載置板で、透明なプラスチツクのページ押さえ１４を具備しL字形状を形成している。載置板１２は空きびん１に取付具５と連結具１５を介して取り付けている。取付具５と連結具１５は丸棒１６で固定し、載置板１２と連結具１５は丸棒１６で回動自在に連結している。
【実施例４】
【００３４】
図４においては、空きびん１に丸棒１６を挿通して立設し、その丸棒１６に調整板４７を上下に移動可能に取り付けている。調整板４７は長方形板状で、一端部側に挿通孔４５を穿設し丸棒１６に挿通している。床又は椅子に座して読書する場合は、図４（イ）に示すように載置板１２の上部と丸棒１６を紐４６で縛着して取り付けている。載置板１２の下部は丸棒１６から遠い調整板４７の端部側に紐４６で縛着して取り付けている。仰臥で読書する場合は、図４（ロ）に示すように、載置板１２の下部は調整板４７と丸棒１６に縛着して取り付け、載置板１２が斜め下方に向くように載置板１２上部と丸棒１６に間隔を形成して紐４６で縛着して取り付ける。載置板１２の傾斜角度調整は、（イ）のものは調整板４７と丸棒１６に縛着して取り付ける位置により調整できる。（ロ）のものは、載置板１２上部と丸棒１６の間隔を紐４６で調整することができる。また載置板１２の高さ位置は図（イ）（ロ）の矢印の方向に調整板４７を移動させ、載置板１２と丸棒１６の縛着位置を変えて調整することができる。
【実施例５】
【００３５】
図５においては、１７は円柱形状の支柱で先端部を空きびん１の口部２に挿通して立設している。支柱１７の横方向に複数の横杆１８を設け複数の袋１９を吊設している。袋１９は上部に入れ口２０を設け収納した物が判明できるようネツト状を形成している。
【実施例６】
【００３６】
図６においては、２１は額縁で横杆１８に複数吊設し、少スペースで多数の写真等を飾ることができる。
【実施例７】
【００３７】
図７、８、９においては、２２は四角形状の枠体で縦枠２３と横枠２４で形成している。枠体２２は連結棒２５と取付具５を介して空きびん１の口部２に挿通して取り付けている。下部側の横枠２４中央部にソケツト１０と電球１１を設け、上部側の横枠２４に円形形状の天井板２６を設けている。一枚の布２７をシエード２８として使用する場合は、図７に示すように、天井板２６の上側から被せてシエード２８とするので、自在にシエード２８を交換することができる。また図８に示すように、シエード２８を筒状の布２７を使用する場合は、布２７の一端部側にゴム紐２９を取り付けて絞り、上方部側から着脱自在に被せるようにする。
【実施例８】
【００３８】
図１０においては、３０は四角形状の積み木板で突起部３１と孔部３２を設けている。空きびん１口部２に取り付けている取付具５の丸棒１６に積み木板３０の孔部３２を挿通して取り付け、その積み木板３０の突起部３１に別の積み木板３０の孔部３２を挿通して、順次積み木板３０を組合せ積み上げてゆく。また丸棒１６に積み木板３０を複数取り付けることもでき、夫々を交差して積み上げることができる。
【実施例９】
【００３９】
図１１においては、３３は象の玩具３４に設けている鼻である。鼻３３は中心部に穴３５を穿設した多数の環状体３６で構成し、各環状体３６はアルミ自在ワイヤー３７で連設している。鼻３３は顔３８に着脱自在に取り付け、連結棒２５を介して空きびん１の口部２に設けている。鼻３３は柔軟な素材であるアルミ自在ワイヤーで連設しているので図１０の鎖線で示すように曲げることができる。
【実施例１０】
【００４０】
図１２においては、３９は麒麟の玩具４０に設けている首である。麒麟の玩具４０は顔３８と首３９で構成し、取付具５を介して空きびん１口部２に設けている。首３９は多数の環状体３６とアルミ自在ワイヤー３７で構成し、図１１の鎖線に示すように 曲げることができる。
【実施例１１】
【００４１】
図１３、１４においては、基板４の中央部と端部側に複数の丸棒１６を立設し、中央の丸棒１６の内側に広口空きびん８を嵌合している。広口空きびん８の内部に針金の取手４１を設けた缶４２にろうそく４３を立て出し入れできるようにしている。また広口空きびん８を外してソケツト１０と電球１１を取り付けることができるようにしている。更に端部側の丸棒１６の外側にシエード２８を捲着して取り付けることができる。ろうそく４３の炎４４はびん８で遮蔽するので、シエード２８が焦げたり燃えたりすることはない。またびん８やソケツト１０は中央部側の丸棒１６で移動や転倒を防止している。
【実施例１２】
【００４２】
図１５、１６においては、基板４に三箇所の 挿通孔４５（イ、ロ、ハ）を穿設している。空きびん１を基板４に取り付けるには、挿通孔４５（イ、ロ）又は（ イ、ハ）に丸棒１６を挿通して、空きびん１と丸棒１６を紐４６で縛着する。図１６に示すように、使用する空きびん１の外径の大きさにより丸棒１６と丸棒１６の間隔を考慮して挿通孔４５に挿通する 。
【図面の簡単な説明】
【００４３】
【図１】本発明の実施例１の部分断面図とＡ−Ａ矢視図とＢ−Ｂ矢視図
【図２】同実施例２の部分断面図
【図３】同実施例３の部分断面図とＣ−Ｃ矢視図
【図４】（イ）は同実施例４の座位で使用する場合の参考図、（ロ）は同実施例４の仰臥で使用する場合の参考図
【図５】同実施例５の部分断面図
【図６】同実施例６の部分断面図
【図７】同実施例７の部分断面図とＤ−Ｄ矢視図とＥ−Ｅ矢視図
【図８】実施例７のシエードの使用状態を示す参考図
【図９】実施例７のシエードの使用状態を示す参考図
【図１０】本発明の実施例８の部分断面図
【図１１】同実施例９の部分断面図とＦ−Ｆ矢視図
【図１２】同実施例１０の部分断面図
【図１３】同実施例１１のろうそくを使用した場合の部分断面図とＧ−Ｇ矢視図
【図１４】同実施例１１のソケツトと電球を使用した場合の正面図とＨ−Ｈ矢視図
【図１５】同実施例１２の正面図とＪ−Ｊ矢視図とＩ−Ｉ矢視図
【図１６】実施例１２の使用状態を示す参考図
【符号の説明】
【００４４】
１  空きびん      ２  口部      ３  底部     ４  基板    ５取付具
６  天板    ７  取付板    ８  広口空きびん    ９  蓋    １０  ソケツト        １１  電球  １２  載置板   １３  本    １４  ページ押さえ  １５  連結具
１６  丸棒  １７  支柱    １８  横杆  １９  袋    ２０  入れ口 ２１  額縁      ２２  枠体  ２３  縦枠  ２４  横枠   ２５  連結棒   ２６  天井板  ２７  布      ２８  シエード  ２９  ゴム紐  ３０  積み木板  ３１  突起部  ３２  孔部
３３  鼻  ３４  象の玩具  ３５  穴   ３６  環状体                              ３７  アルミ自在ワイヤー   ３８  顔  ３９  首  ４０  麒麟の玩具
４１  針金の取手  ４２缶  ４３  ろうそく  ４４  炎                              ４５（イ、ロ、ハ）  挿通孔  ４６  紐      ４７  調整板                    
【図１】
2008127036.tif 000003
【図２】
2008127036.tif 000004
【図３】
2008127036.tif 000005
【図４】
2008127036.tif 000006
【図５】
2008127036.tif 000007
【図６】
2008127036.tif 000008
【図７】
2008127036.tif 000009
【図８】
2008127036.tif 000010
【図９】
2008127036.tif 000011
【図１０】
2008127036.tif 000012
【図１１】
2008127036.tif 000013
【図１２】
2008127036.tif 000014
【図１３】
2008127036.tif 000015
【図１４】
2008127036.tif 000016
【図１５】
2008127036.tif 000017
【図１６】
2008127036.tif 000018